(57)【要約】【課題】  内容物を分割して抽出することができるスパウト付包装体及びスパウト付包装袋を提供する。【解決手段】  スパウト４が装着された袋体３に内容物Ｆが封入されたスパウト付包装体１において、スパウト付包装体１は封入された内容物Ｆが分割されるように折り曲げ可能に構成され、スパウト付包装体１を折り曲げることによって分割された内容物Ｆ１をスパウト４から抽出できるように構成されていることを特徴とする。【選択図】図１
2007030890.tif 000002
【特許請求の範囲】
【請求項１】
スパウトが装着された袋体に内容物が封入されたスパウト付包装体において、スパウト付包装体は封入された内容物が分割されるように折り曲げ可能に構成され、スパウト付包装体を折り曲げることによって分割された内容物をスパウトから抽出できるように構成されていることを特徴とするスパウト付包装体。
【請求項２】
内容物封入領域を有する袋体にスパウトが装着されたスパウト付包装袋において、袋体には袋体を折り曲げて内部領域を分割するための折り曲げ位置を示す表示部が設けられていることを特徴とするスパウト付包装袋。
【請求項３】
内容物封入領域を有する袋体にスパウトが装着されたスパウト付包装袋において、袋体には内容物封入領域を分割すべく袋体を折り曲げるための折り曲げ用罫線が設けられていることを特徴とするスパウト付包装袋。
【請求項４】
周縁部が熱融着されてその内側に内容物封入領域が形成された袋体にスパウトが装着されたスパウト付包装袋において、周縁部の内側には、内容物封入領域を分割すべくその外形形状に沿って袋体を折り曲げるための折り曲げ用熱融着部が形成されていることを特徴とするスパウト付包装袋。
【発明の詳細な説明】
【技術分野】
【０００１】
本発明は、内容物を分割して抽出することができるスパウト付包装体及びスパウト付包装袋に関する。
【背景技術】
【０００２】
従来、スパウトが装着された袋体に内容物が封入されたスパウト付包装体が知られている。このようなスパウト付包装体は、スパウトから内容物を抽出して使用するものである。
【発明の開示】
【発明が解決しようとする課題】
【０００３】
しかしながら、上記従来のスパウト付包装体にあっては、内容物をスパウトから抽出する際に、内容物が一度に全て抽出される。従って、内容物を小分けにして抽出することが非常に困難であり、仮に内容物を一部だけ抽出しようとしても、抽出する量が少なすぎたり、逆に多すぎたりした。
【０００４】
そこで、本発明は、上記従来の問題に鑑みてなされ、内容物を分割して抽出することができるスパウト付包装体及びスパウト付包装袋を提供することを課題とする。
【課題を解決するための手段】
【０００５】
本発明は、上記課題を解決すべくなされたものであり、本発明に係るスパウト付包装体は、スパウトが装着された袋体に内容物が封入されたスパウト付包装体において、スパウト付包装体は封入された内容物が分割されるように折り曲げ可能に構成され、スパウト付包装体を折り曲げることによって分割された内容物をスパウトから抽出できるように構成されていることを特徴とする。
【０００６】
該構成のスパウト付包装体は、封入された内容物が分割されるように折り曲げ可能に構成されているので、内容物をスパウトから抽出する際に、このスパウト付包装体を折り曲げることができる。スパウト付包装体を折り曲げると、折り目を境にして内容物が分割される。よって、分割された内容物のうちの一方側のみをスパウトから抽出することができる。そして袋体が折り曲げられているので分割された内容物の他方側は、スパウトから抽出されずにそのまま残ることとなる。
【０００７】
また、本発明に係るスパウト付包装袋は、内容物封入領域を有する袋体にスパウトが装着されたスパウト付包装袋において、袋体には袋体を折り曲げて内部領域を分割するための折り曲げ位置を示す表示部が設けられていることを特徴とする。
【０００８】
該構成のスパウト付包装袋にあっては、袋体の内容物封入領域に内容物が少し少な目に封入されてスパウト付包装体として使用される。そして、開封して内容物を抽出するに際しては、袋体に折り曲げ位置を示す表示部が設けられているので、その折り曲げ位置を目安にして袋体を折り曲げることができる。袋体を折り曲げると、内容物封入領域に封入された内容物が折り目を境にして分割され、分割された内容物のうちの一方側のみをスパウトから抽出することができる。
【０００９】
また、本発明に係るスパウト付包装袋は、内容物封入領域を有する袋体にスパウトが装着されたスパウト付包装袋において、袋体には内容物封入領域を分割すべく袋体を折り曲げるための折り曲げ用罫線が設けられていることを特徴とする。
【００１０】
該構成のスパウト付包装袋にあっては、袋体の内容物封入領域に内容物が少し少な目に封入されてスパウト付包装体として使用される。そして、開封して内容物を抽出するに際しては、袋体に折り曲げ用罫線が設けられているので、折り曲げ用罫線に沿って容易に袋体を折り曲げることができる。袋体を折り曲げると、内容物封入領域に封入された内容物が折り目を境にして内容物が分割され、分割された内容物のうちの一方側のみをスパウトから抽出することができる。
【００１１】
また、本発明に係るスパウト付包装袋は、周縁部が熱融着されてその内側に内容物封入領域が形成された袋体にスパウトが装着されたスパウト付包装袋において、周縁部の内側には、内容物封入領域を分割すべくその外形形状に沿って袋体を折り曲げるための折り曲げ用熱融着部が形成されていることを特徴とする。
【００１２】
該構成のスパウト付包装袋にあっては、袋体の内容物封入領域に内容物が少し少な目に封入されてスパウト付包装体として使用される。そして、開封して内容物を抽出するに際しては、袋体の周縁部の内側に折り曲げ用熱融着部が設けられているので、その外形形状に沿って容易に袋体を折り曲げることができる。袋体を折り曲げると、内容物封入領域に封入された内容物が折り目を境にして内容物が分割され、分割された内容物のうちの一方側のみをスパウトから抽出することができる。
【発明の効果】
【００１３】
このように、本発明に係るスパウト付包装体にあっては、内容物をスパウトから抽出するに際して、折り曲げることで内容物を分割することができるので、分割した内容物の一方側のみをスパウトから抽出でき、従来のように一度に全ての内容物を抽出する使用方法の他に、内容物を小分けにして抽出し使用することができるという効果を奏する。
【発明を実施するための最良の形態】
【００１４】
以下、本発明に係るスパウト付包装体及びスパウト付包装袋の一実施形態について図面を参酌しつつ説明する。
図１（Ａ）に、本実施形態におけるスパウト付包装体１が示されている。該スパウト付包装体１は、袋体３と袋体３に装着されたスパウト４とを備えるスパウト付包装袋２に、清涼飲料やゼリー状の栄養食品等の流動性飲食物である内容物Ｆが封入されたものである。
【００１５】
スパウト付包装袋２は、図１（Ｂ）に示すように、袋体３に袋体３の側方に突出するようにスパウト４を装着した自立可能なスタンディングパウチである。
【００１６】
袋体３は、外面がポリエステルやポリアミド等からなる合成樹脂フィルムの内面にポリエチレン系の樹脂（フィルム等）をラミネートした内面が熱融着性を有する４枚の熱融着性樹脂シートを袋状に形成してなる。具体的には、袋体３は、前後両壁部５，６と内側に屈曲可能な上下両壁部としての上下両ガセット部７，８とをそれぞれの周縁部を封着用熱融着部９を形成することにより相互に熱融着（ヒートシール）して封着し、内側に内容物封入領域としての空間Ｇを有する形状をなしている。尚、本実施形態では、上ガセット部７の深さは、下ガセット部８の深さより浅くなっているので、内側に形成される空間の広さは、上側の方が下側よりも狭くなっている。
【００１７】
封着用熱融着部９は、袋体３の上端周縁部を封着する第一熱融着部９１と、袋体３のスパウト４が装着されない側端周縁部を封着する第二熱融着部９２と、袋体３の下端周縁部を封着する第三熱融着部９３と、袋体３のスパウト４が装着される側端周縁部を封着する第四熱融着部９４とで構成される。具体的には、第一熱融着部９１と第三熱融着部９３とは前後両壁部５，６の上下周縁部と上下両ガセット部７，８の周縁部とをそれぞれ一定幅で熱融着し、第二熱融着部９２は前後両壁部５，６の側周縁部を一定幅にて熱融着している。そして、第四熱融着部９４は第二熱融着部９２が熱融着している側周縁部と対抗する側の側周縁部を、スパウト４と共に第二熱融着部９２の幅より大きい一定幅にて熱融着している。尚、上下両ガセット部７，８の両側部にはそれぞれ切欠き７ａ，８ａが設けられており（図１（Ｂ）にのみ示す）、この切欠いた部分では前後両壁部５，６が直接熱融着している。これにより袋体３を開いたときに上下両ガセット部７，８はその側端部が開かないようになっている。こうして上述のように、袋体３は、袋体３の周縁部全体を封着して内側に空間Ｇを有する形状をなしている。そして、封着用熱融着部９によって封着されている周縁部の内側には、折り曲げ用熱融着部１０が形成されている。尚、封着用熱融着部９及び折り曲げ用熱融着部１０は、 図１（Ａ）及び（Ｂ）において網掛けで示す部分である。
【００１８】
折り曲げ用熱融着部１０は、第二熱融着部９２から第四熱融着部９４に向けて上下方向の長さが徐々に小さくなる平面視略三角形状である。具体的には、第二熱融着部９２から袋体３の横方向に伸びその先端が袋体３の中央付近まで伸びる略直線状の直線部Ｌと、直線部Ｌより上側で第二熱融着部９２から直線部Ｌの先端へ向けて傾斜する傾斜部Ｓとで形成される略三角形状である。折り曲げ用熱融着部１０は、直線部Ｌが第二熱融着部９２の上下方向中央より上側の位置でスパウトより下側となる位置に、第二熱融着部９２から第四熱融着部９４に向けて突出するように形成される。折り曲げ用熱融着部１０は第二熱融着部９２と連続している。
【００１９】
折り曲げ用熱融着部１０の下側には、第一表示部１１が前壁部５に印刷等により形成されている。第一表示部１１は袋体３の横方向全域に伸びる第一直線表示部１１ａを備え、第一直線表示部１１ａは折り曲げ用熱融着部１０の直線部Ｌのすぐ下側に設けられている。また、第一直線表示部１１ａの下側には「この線で折り曲げて下さい」等の文字が書かれた文字表示部１１ｂが設けられている。
【００２０】
また、折り曲げ用熱融着部１０の上側には、第二表示部１２が前壁部５に印刷等により形成されている。第二表示部１２は袋体３の横方向全域に伸びる第二直線表示部１２ａを備え、第二直線表示部１２ａはスパウト４及び折り曲げ用熱融着部１０の上側に第一直線表示部１１ａと略平行となるように設けられている。
【００２１】
更に、第二表示部１２の上側には、目盛部１３が設けられており、下側から順に第一目盛１３ａ、第二目盛１３ｂ、第三目盛１３ｃおよび第四目盛１３ｄとなるように形成されている。目盛部１３はそれぞれの目盛を目安にすることで、適宜内容物Ｆを計量、分量することができるようになっている。尚、目盛の数は、適宜増減させてもよい。
【００２２】
また、袋体３には係止手段１４が設けられている。具体的には、係止手段１４は第四熱融着部９４上に設けられ、上下一対の係止片１４ａ，１４ｂから構成される。上側の第一係止片１４ａは、第四熱融着部９４の上端に切込部として形成され、下側の第二係止片１４ｂは、第二直線表示部１２ａに対して第一係止片１４ａと略対称となる位置に切込部として形成される。それぞれの係止片１４ａ，１４ｂは、図２に示すように、第二直線表示部１２ａを目安にして袋体３を折り曲げたときに係合することができるような配置となっている。
【００２３】
袋体３の側方に突出するように袋体３に装着されるスパウト４は、ポリエチレン等の熱融着性樹脂から形成され、内容物Ｆの抽出口となるように貫通孔を有する筒状である。具体的には、スパウト４は、袋体３の側周縁部に挟み込まれて熱融着されるシール部４１と、シール部４１の側方に延設され袋体３から突出する口部４２とを備える。スパウト４は、折り曲げ用熱融着部１０の直線部Ｌと第二表示部１２の第二直線表示部１２ａとの間の位置に、シール部４１を前後両壁部５，６で挟み込んで熱融着することにより袋体３に装着され、袋体３の内側の空間Ｇと外側の空間とを連通する。具体的には、まずスパウト４を装着する部分を除いた周縁部を熱融着した袋体３を形成する。そして、その部分にシール部４１を挿入して前後両壁部５，６で挟み込んで熱融着する。こうして、スパウト４は第四熱融着部９４を形成して熱融着することにより袋体３に装着される。口部４２の上部は着脱自在なキャップ４３によって閉塞される。
【００２４】
以上の構成のスパウト付包装袋２に、スパウト付包装体１が折り曲げ可能となるように内容物Ｆをスパウト４から注入して封入すると、商品としてのスパウト付包装体１が形成される。具体的には、図１（Ａ）に示すように、内容物Ｆはスパウト付包装体１を起立状態に置いたときに上部にある程度の空間Ｇ１ができる程度に少し少な目に封入されている。本実施形態では、起立状態で内容物Ｆの上端が折り曲げ用熱融着部１０の直線部Ｌ付近となるように封入されており、例えば２００ｃｃ乃至５００ｃｃ程度である。
【００２５】
このようにしてスパウト付包装袋２に内容物Ｆが封入されたスパウト付包装体１は、図２に示すように、第二直線表示部１２ａを目安にして袋体３の第二直線表示部１２ａより上側の部分を下方に折り返し、第一係止片１４ａと第二係止片１４ｂとを係合して折り返した部分を固定した状態で保管され、以下のようにして使用する。
【００２６】
まず、第一係止片１４ａと第二係止片１４ｂとの係合を解除して図１（Ａ）に示すような起立状態にする。
次に、図３（Ａ）に示すように、起立状態から上下逆向きとなるように回転させて、内容物Ｆを袋体３の内側の空間Ｇの目盛部１３が設けられている側に移動させる。
【００２７】
そして、第一直線表示部１１ａを目安にして、折り曲げ用熱融着部１０の直線部Ｌに沿って袋体３を折り曲げる。袋体３を折り曲げると、前後両壁部５，６の折り目Ｃに沿った部分が互いに接近してその間にある内容物Ｆを押しのける。押しのけられた内容物Ｆは袋体３に内容物Ｆを少な目に封入することによって形成された空間Ｇ１に収納される。そして、更に折り曲げていくと、前後両壁部５，６の折り目Ｃに沿った部分は互いに密着して、帯状の区画帯１５が形成される。そして区画帯１５が形成されると、それを境に袋体３の内側の空間Ｇは区画され、内容物Ｆは各区画された空間Ｇ１１，Ｇ１２に分けられて封入される。各区画された空間Ｇ１１，Ｇ１２の間は、折り目Ｃに沿って形成された区画帯１５によって仕切られているので、各区画された空間Ｇ１１，Ｇ１２にそれぞれ封入された分割された内容物Ｆ１，Ｆ２は、互いに行き来することがない。こうして、スパウト４が装着されている方の空間Ｇ１１に封入されている分割された内容物Ｆ１のみをスパウト４の口部４２を閉塞するキャップ４３を外して抽出することができる。一方で、スパウト４が装着されていない方の空間Ｇ１２に封入されている分割された内容物Ｆ２については、スパウト４から抽出されることなく袋体３の内側に残る。尚、本実施形態では目盛部１３が設けられているので、これを目安にすることで内容物Ｆを必要な量に適宜分量することができる。内容物Ｆが必要な量に分量されていない場合には、折り曲げ状態を解除して分量を調整する。本実施形態においては、第一目盛１３ａを目安に分量しており、例えば７０ｃｃに分量できる。
【００２８】
以上のようなスパウト付包装体１にあっては、スパウト付包装体１は封入された内容物Ｆが分割されるように折り曲げ可能に構成されている。即ち、袋体３を折り曲げることによって押しのけられる内容物Ｆが収納される空間Ｇ１を形成するように、少し少な目に内容物Ｆを袋体３に封入しているので、内容物Ｆの一部をスパウト４から抽出する際に、スパウト付包装体１を折り曲げることができる。スパウト付包装体１を折り曲げると、折り目Ｃに沿って形成された区画帯１５を境にして内容物Ｆが分割される。よって、非常に簡単な構成で、しかも簡単な作業によって内容物Ｆを分割でき、スパウト４が装着されている方の空間Ｇ１１に封入されている分割された内容物Ｆ１をスパウト４の口部４２から抽出でき、他方の空間Ｇ１２に封入されている内容物Ｆ２は袋体３にそのまま残すことができる。従って、従来のように一度に全ての内容物Ｆを抽出する使用方法の他に、内容物Ｆを小分けＦ１，Ｆ２にして抽出し使用することができる。
【００２９】
また、袋体３には折り曲げ位置を示す第一表示部１１が設けられているので、内容物Ｆを小分けＦ１，Ｆ２にして抽出するに際して、その折り曲げ位置を目安にして袋体３を折り曲げることができる。
【００３０】
更に、第二熱融着部９２が封着する周縁部の内側に折り曲げ用熱融着部１０が設けられており、その下側の外形形状が、袋体３の横方向に伸びる略直線状の直線部Ｌとなっている。よって、内容物Ｆを小分けＦ１，Ｆ２にして抽出するに際して、内容物Ｆが封入された袋体３を直線部Ｌに沿って容易に折り曲げることができる。また、折り曲げ用熱融着部１０は平面視略三角形状であり、スパウト４と略対向する位置に設けているので、スパウト４を装着することによって生じる袋体３の歪みを修正することができ、姿勢のよい起立状態とすることができる。
【００３１】
また更に、袋体３には係止手段１４が設けられており、折り曲げ用熱融着部１０の上側には第二表示部１２が設けられているので、スパウト付包装体１を保管する際に第二表示部１２にて示される折り曲げ位置を目安に袋体３を折り曲げて、第一係止片１４ａと第二係止片１４ｂとを係合して折り曲げた部分を係止した状態で固定することによって、スパウト付包装体１をコンパクトに保管できる。尚、空間Ｇ１１を用いて小分けしない場合には、この状態で使用できる。
【００３２】
尚、本実施形態では、袋体３に第一表示部１１を設けた場合について説明したが、これに限られず、第一表示部１１を設けず、袋体３を折り曲げるための折り曲げ罫線１６を設けてもよい。例えば、図４（Ａ）に示すように、第二熱融着部９２と第四熱融着部９４とに一対の折り曲げ用罫線１６ａ，１６ｂをそれぞれ設けてもよい。この場合、それぞれの折り曲げ用罫線１６ａ，１６ｂは横方向に伸びる略直線形状であり、スパウト４の下側にそれぞれ設けられている。また、それぞれの折り曲げ用罫線１６ａ，１６ｂは上下方向に略同じ位置となるように第二熱融着部９２及び第四熱融着部９４の上に形成されている。この場合、内容物Ｆを小分けＦ１，Ｆ２にして抽出する際に、内容物Ｆが封入された袋体３を折り曲げ用罫線１６ａ，１６ｂに沿って容易に折り曲げることができるという利点がある。折り曲げ用罫線としては、加熱した刃を押し当てる押罫線等が使用できる。
【００３３】
また、本実施形態では、折り曲げ用熱融着部１０が第二熱融着部９２から第四熱融着部９４へ向けて突出する平面視略三角形状である場合について説明したが、これに限られず、折り曲げ用熱融着部１０を第二熱融着部９２から第四熱融着部９４へ向けて段差状に形成してもよい。具体的には、例えば図４（Ａ）に示すように、第二熱融着部９２から袋体３の横方向に伸びる直線状の直線部Ｌと、直線部Ｌの先端より第二熱融着部９２側で第一熱融着部９１から下方に直線状に伸び、その先端と直線部Ｌの先端とが接続されるように第四熱融着部９４へ向けて下に凸となるように先端部が曲がった曲線状である曲線部Ｓとで形成される形状であってもよい。この場合、折り曲げ用熱融着部１０は、直線部Ｌが第二熱融着部９２の上下方向中央の位置より上側でスパウトより下側の位置となるように形成される。尚、図４（Ａ）に示す場合において、直線部Ｌの先端と第四熱融着部９４との間の空間に、略全域に亘って開閉自在のチャック１７が設けられている。このチャック１７は、チャック１７が開いている時には内容物Ｆを通過させ、チャック１７が閉じて嵌め合っている時には内容物Ｆを通過させないように袋体３の内側の空間Ｇを仕切るように構成されており、より確実に内容物Ｆを分割することができる。尚、図４（Ａ）に示すように、袋体３は下壁部のみガセット部８が設けられている場合であってもよい。
【００３４】
更に、本実施形態では、折り曲げ用熱融着部１０は、第二熱融着部９２から突出する構成について説明したが、これに限られず、折り曲げ用熱融着部１０は第四熱融着部９４から第二熱融着部９２に向けて突出している構成としてもよい。例えば、図４（Ｂ）に示すように、折り曲げ用熱融着部１０は第四熱融着部９４のスパウト４のシール部４１の下側から第二熱融着部９２に向けて上下方向の長さが徐々に大きくなるように突出した形状である。具体的には、折り曲げ用熱融着部１０は、第四熱融着部９４のスパウト４のシール部４１の下側から袋体３の横方向に伸びてその先端が袋体３の横方向略中央付近にまで伸びる直線状の直線部Ｌと、直線部Ｌの先端から袋体３の上方に直線状に伸びる側辺部Ｈと、側辺部Ｈの上端から第四熱融着部９４に向けて袋体３の横方向に伸びる上辺部Ｕと、上辺部Ｕの第四熱融着部９４側の端から直線部Ｌとシール部４１との間へ向けて斜め下方に伸びる曲線部Ｓとで囲まれる形状である。つまり、折り曲げ用熱融着部１０は第四熱融着部９４から第二熱融着部９２に向けて徐々に上方側に幅広となるように突出している。尚、図４（Ｂ）に示す場合においては、曲線部Ｓは、上辺部Ｕ側で上下方向に傾き、第四熱融着部９４側で横方向に傾くように曲がった形状となっている。折り曲げ用熱融着部１０をこのような形状とすると、直線部Ｌに沿って折り曲げることにより分割された内容物Ｆ１，Ｆ２のうち、スパウト４側に分割された内容物Ｆ１が、折り曲げ用熱融着部１０の曲線部Ｓに沿ってスパウト４から抽出されることとなるので、分割した内容物Ｆ１をスムーズに抽出することができる。
【００３５】
尚、上述の実施形態では、空間Ｇを空間Ｇ１１と空間Ｇ１２とに区画し内容物Ｆを小分けして使用する形態について説明したが、例えば、袋体３を直線部Ｌで折り曲げたときに、空間Ｇ１１と空間Ｇ１２との容積が等量となるようにして内容物Ｆを２分割して使用できるように袋体３を形成してもよい。
【図面の簡単な説明】
【００３６】
【図１】（Ａ）は本発明の一実施形態に係るスパウト付包装体を示す斜視図、（Ｂ）は本発明の一実施形態に係るスパウト付包装袋を示す正面図。
【図２】同スパウト付包装体の保管状態を示す斜視図。
【図３】同スパウト付包装体の使用状態を示す図であり、（Ａ）はスパウト付包装体を上下逆向きに回転させた様子を示す斜視図であり、（Ｂ）は袋体を折り曲げて内容物を分割した様子を示す斜視図。
【図４】（Ａ）及び（Ｂ）は他の実施形態におけるスパウト付包装袋を示す正面図。
【符号の説明】
【００３７】
１…スパウト付包装体、２…スパウト付包装袋、３…袋体、４…スパウト、５…前壁部、６…後壁部、７…上ガセット部、８…下ガセット部、９…封着用熱融着部、１０…折り曲げ用熱融着部、１１…第一表示部、１２…第二表示部、１３…目盛部、１４…係止手段、１５…区画帯、１６…折り曲げ用罫線、１７…チャック、４３…キャップ、９１…第一熱融着部、９２…第二熱融着部、９３…第三熱融着部、９４…第四熱融着部、Ｃ…折り目、Ｆ…内容物、Ｇ…空間、Ｌ…直線部
【図１】
2007030890.tif 000003
【図２】
2007030890.tif 000004
【図３】
2007030890.tif 000005
【図４】
2007030890.tif 000006